【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
番組の映像または音声のコンテンツである複数のタイトルコンテンツをタイトルコンテンツごとに暗号化する１つ以上のタイトルキーが登録されたタイトルキーファイルと、前記タイトルキーによって暗号化されたタイトルコンテンツとが記録された記録媒体の記録を行うコンテンツ記録装置であって、
前記タイトルキーファイルを一つ以上生成し、一つ以上の前記タイトルキーを、生成された前記タイトルキーファイルに格納する初期化手段と、
複数のタイトルキーファイルのそれぞれに対応した第１の乱数を生成する第１の乱数生成手段と、
複数のタイトルキーファイルのそれぞれに対応した第２の乱数を生成する第２の乱数生成手段と、
前記初期化手段によって生成された前記タイトルキーファイルと前記第１の乱数と組にしてそれぞれ前記記録媒体に記録する記録手段と、を備え、
前記初期化手段は、前記複数のタイトルキーファイルのそれぞれを、前記第１の乱数生成手段によって生成され、前記タイトルキーファイルに対応した前記第１の乱数と関連づけられた他のタイトルキーファイルに登録された前記第２の乱数とによって前記タイトルキーを暗号化した暗号化タイトルキーと、前記タイトルキーファイルに対応した前記第１の乱数と前記他のタイトルキーファイルに登録された前記第２の乱数とを登録することによって生成することを特徴とするコンテンツ記録装置。
【請求項２】
前記記録媒体から前記複数のタイトルキーファイルを読み出す読み出し手段と、
前記記録媒体に記録された前記タイトルキーのリストに、新たなタイトルキーが追加された場合または前記タイトルキーのリストからタイトルキーが削除された場合に、前記読み出し手段によって読み出した前記複数のタイトルキーファイルの中で任意の前記タイトルキーファイルに登録された前記第１の乱数と前記タイトルキーファイルに関連付けられた他の前記タイトルキーファイルに登録された前記第２の乱数によって前記タイトルキーファイルに登録された前記暗号化タイトルキーを復号化し、前記第２の乱数を前記第２の乱数生成手段によって前記複数のタイトルキーファイルごとに新たに生成し、復号化された前記タイトルキーを、前記第１の乱数生成手段によって新たに生成された前記第１の乱数と他の前記タイトルキーファイルに対応して新たに生成された前記第２の乱数とによって前記タイトルキーファイルを暗号化する再暗号化手段と、
前記暗号化タイトルキーと前記第１の乱数と前記第２の乱数とを登録した前記タイトルキーファイルを複数生成することにより、前記複数のタイトルキーファイルを更新する更新手段と、をさらに備え、
前記記録手段は、前記更新手段によって更新された前記複数のタイトルキーファイルを前記記録媒体に記録することを特徴とする請求項１に記載のコンテンツ記録装置。
【請求項３】
前記記録媒体に記録された前記複数のタイトルキーファイルの中で、一つの前記タイトルキーファイルが存在しない場合あるいは破壊されている場合に、前記記録媒体に存在している前記タイトルキーファイルに登録された前記第１の乱数と前記タイトルキーファイルに関連付けられた他の前記タイトルキーファイルに登録された前記第２の乱数によって前記タイトルキーファイルに登録された前記暗号化タイトルキーを復号化し、前記第２の乱数を前記複数のタイトルキーファイルごとに新たに生成し、復号化された前記タイトルキーを、前記第１の乱数生成手段によって新たに生成された前記第１の乱数と他の前記タイトルキーファイルに対応して新たに生成された前記第２の乱数とによって暗号化する第２の再暗号化手段と、
前記暗号化タイトルキーと前記第１の乱数と前記第２の乱数とを登録した前記タイトルキーファイルを複数生成することによって、前記複数のタイトルキーファイルを回復する回復手段をさらに備え、
前記記録手段は、前記回復手段によって回復された前記複数のタイトルキーファイルを前記記録媒体に記録することを特徴とする請求項２に記載のコンテンツ記録装置。
【請求項４】
前記記録媒体は、任意の値を書き込むことが不可能なプロテクト領域と、任意のアプリケーションにより任意の値が記録可能なユーザ領域とを備え、
前記記録手段は、前記タイトルキーファイルの前記第１の乱数をプロテクト領域に記録し、前記第２の乱数を前記ユーザ領域に記録することを特徴とする請求項１に記載のコンテンツ記録装置。
【請求項５】
前記記録手段は、前記第１の乱数又は不当情報を前記プロテクト領域へ記録するものであって、前記タイトルキーファイル以外のファイルを記録する場合には前記不当情報を前記プロテクト領域へ記録し、
前記回復手段は、前記暗号化タイトルキーを復号化する際に、前記第１の乱数に前記不当情報が記録されているか否かを判断し、前記不当情報が記録されている場合には、前記複数のタイトルキーファイルの回復を行わないことを特徴とする請求項４に記載のコンテンツ記録装置。
【請求項６】
コンテンツを暗号化するためのタイトルキーを１つ以上有するタイトルキーファイルと、前記タイトルキーによって暗号化されたコンテンツとを記録媒体へ記録するコンテンツ記録装置であって、
第１タイトルキーファイルと、第２タイトルキーファイルと、第３タイトルキーファイルとを生成する生成手段と、
前記第１タイトルキーファイルに対応する第１乱数と、前記第２タイトルキーファイルに対応する第１乱数と、前記第３タイトルキーファイルに対応する第１乱数とを生成する第１乱数生成手段と、
前記第１タイトルキーファイルに対応する第２乱数と、前記第２タイトルキーファイルに対応する第２乱数と、前記第３タイトルキーファイルに対応する第２乱数とを生成する第２乱数生成手段と、
前記第１タイトルキーファイル、前記第２タイトルキーファイルおよび前記第３タイトルキーファイルを前記記録媒体に記録する記録手段と、を備え、
前記第１タイトルキーファイルは、
前記第１タイトルキーファイルに対応する第１乱数と、
前記第１タイトルキーファイルに対応する第２乱数と、
前記第１タイトルキーファイルに対応する第１乱数と、前記第３タイトルキーファイルに対応する第２乱数とを用いて暗号化された前記タイトルキーと、を有し、
前記第２タイトルキーファイルは、
前記第２タイトルキーファイルに対応する第１乱数と、
前記第２タイトルキーファイルに対応する第２乱数と、
前記第２タイトルキーファイルに対応する第１乱数と前記第１タイトルキーファイルに対応する第２乱数とを用いて暗号化された前記タイトルキーと、を有し、
前記第３タイトルキーファイルは、
前記第３タイトルキーファイルに対応する第１乱数と、
前記第３タイトルキーファイルに対応する第２乱数と、
前記第３タイトルキーファイルに対応する第１乱数と前記第２タイトルキーファイルに対応する第２乱数とを用いて暗号化された前記タイトルキーと、を有することを特徴とするコンテンツ記録装置。
【請求項７】
コンテンツを暗号化するためのタイトルキーを１つ以上有するタイトルキーファイルと、前記タイトルキーによって暗号化されたコンテンツとが記録された記録媒体へアクセスし、前記コンテンツを再生するコンテンツ再生装置であって、
前記記憶媒体には、第１タイトルキーファイルと第２タイトルキーファイルと第３タイトルキーファイルとが記録されており、
前記第１タイトルキーファイルは、
前記第１タイトルキーファイルに対応する第１乱数と、
前記第１タイトルキーファイルに対応する第２乱数と、
前記第１タイトルキーファイルに対応する第１乱数と、前記第３タイトルキーファイルに対応する第２乱数とを用いて暗号化された前記タイトルキーと、を有し、
前記第２タイトルキーファイルは、
前記第２タイトルキーファイルに対応する第１乱数と、
前記第２タイトルキーファイルに対応する第２乱数と、
前記第２タイトルキーファイルに対応する第１乱数と前記第１タイトルキーファイルに対応する第２乱数とを用いて暗号化された前記タイトルキーと、を有し、
前記第３タイトルキーファイルは、
前記第３タイトルキーファイルに対応する第１乱数と、
前記第３タイトルキーファイルに対応する第２乱数と、
前記第３タイトルキーファイルに対応する第１乱数と前記第２タイトルキーファイルに対応する第２乱数とを用いて暗号化された前記タイトルキーと、を有し、
前記第１タイトルキーファイルに含まれる乱数であって前記第１タイトルキーファイルに対応する第１乱数と、前記第３タイトルキーファイルに含まれる乱数であって前記第３タイトルキーファイルに対応する第２乱数と、を用いて、前記第１タイトルキーファイルに含まれる前記タイトルキーを復号化する第１復号化手段と、
前記第１復号手段によって復号化された前記タイトルキーを用いて、前記コンテンツを復号する第２復号化手段と、
前記第２復号化手段によって復号化されたコンテンツを再生する再生手段と、
を備えたことを特徴とするコンテンツ再生装置。
【請求項８】
前記第１復号化手段は、前記記録媒体に前記第１タイトルキーファイルが存在しない場合あるいは前記第１タイトルキーファイルが破壊されている場合、前記第３タイトルキーファイルに含まれる乱数であって前記第３タイトルキーファイルに対応する第１乱数と、前記第２タイトルキーファイルに含まれる乱数であって前記第２タイトルキーファイルに対応する第２乱数と、を用いて、前記第３タイトルキーファイルに含まれる前記タイトルキーを復号化することを特徴とする請求項７に記載のコンテンツ再生装置。
【請求項９】
番組の映像または音声のコンテンツである複数のタイトルコンテンツをタイトルコンテンツごとに暗号化する１つ以上のタイトルキーが登録されたタイトルキーリストと、前記タイトルキーによって暗号化されたタイトルコンテンツとが記録された記録媒体の記録を行うコンテンツ記録方法であって、
前記タイトルキーファイルを一つ以上生成し、一つ以上の前記タイトルキーを、生成された前記タイトルキーファイルに格納し、前記記録媒体に記録する初期化ステップと、
複数のタイトルキーファイルのそれぞれに対応した第１の乱数を生成する第１の乱数生成ステップと、
複数のタイトルキーファイルのそれぞれに対応した第２の乱数を生成する第２の乱数生成ステップと、
前記初期化ステップによって生成された前記タイトルキーファイルと前記第１の乱数とを組にしてそれぞれを前記記録媒体に記録する記録ステップと、を含み、
前記初期化ステップは、前記複数のタイトルキーファイルのそれぞれを、前記第１の乱数生成ステップによって生成され、前記タイトルキーファイルに対応した前記第１の乱数と関連づけられた他のタイトルキーファイルに登録された前記第２の乱数とによって前記タイトルキーを暗号化した暗号化タイトルキーと、前記タイトルキーファイルに対応した前記第１の乱数と前記他のタイトルキーファイルに登録された前記第２の乱数とを登録することによって生成することを特徴とするコンテンツ記録方法。
【請求項１０】
番組の映像または音声のコンテンツである複数のタイトルコンテンツをタイトルコンテンツごとに暗号化する１つ以上のタイトルキーが登録されたタイトルキーリストと、前記タイトルキーによって暗号化されたタイトルコンテンツとが記録された記録媒体の記録および再生を行うコンピュータで実行させるためのコンテンツ記録プログラムであって、
前記タイトルキーファイルを一つ以上生成し、一つ以上の前記タイトルキーを、生成された前記タイトルキーファイルに格納し、前記記録媒体に記録する初期化ステップと、
複数のタイトルキーファイルのそれぞれに対応した第１の乱数を生成する第１の乱数生成ステップと、
複数のタイトルキーファイルのそれぞれに対応した第２の乱数を生成する第２の乱数生成ステップと、
前記初期化ステップによって生成された前記複数のタイトルキーファイルと前記第１の乱数とを組にしてそれぞれを前記記録媒体に記録する記録ステップと、をコンピュータに実行させ、
前記初期化ステップは、前記複数のタイトルキーファイルのそれぞれを、前記第１の乱数生成ステップによって生成され、前記タイトルキーファイルに対応した前記第１の乱数と関連づけられた他の前記タイトルキーファイルに登録された前記第２の乱数とによって前記タイトルキーファイルを暗号化した暗号化タイトルキーと、前記タイトルキーファイルに対応した前記第１の乱数と前記他のタイトルキーファイルに登録された前記第２の乱数とを登録することによって生成することを前記コンピュータに実行させるためのコンテンツ記録プログラム。
【手続補正２】
【補正対象書類名】明細書
【補正対象項目名】発明の名称
【補正方法】変更
【補正の内容】
【発明の名称】コンテンツ記録装置、コンテンツ再生装置、コンテンツ記録方法およびコンテンツ記録プログラム
【手続補正３】
【補正対象書類名】明細書
【補正対象項目名】０００１
【補正方法】変更
【補正の内容】
【０００１】
本発明は、コンテンツ記録装置、コンテンツ再生装置、コンテンツ記録方法およびコンテンツ記録プログラムに関し、特にタイトルキーファイルのバックアップ技術に関するものである。
【手続補正４】
【補正対象書類名】明細書
【補正対象項目名】０００８
【補正方法】変更
【補正の内容】
【０００８】
本発明は、上記に鑑みてなされたものであって、タイトルキーファイルの復元を確実に行えるとともに、悪意のある第三者によるコンテンツの不正な復元を防止することができるコンテンツ記録装置、コンテンツ再生装置、コンテンツ記録方法およびコンテンツ記録プログラムを提供することを目的とする。
【手続補正５】
【補正対象書類名】明細書
【補正対象項目名】０００９
【補正方法】変更
【補正の内容】
【０００９】
上述した課題を解決し、目的を達成するために、本発明は、番組の映像または音声のコンテンツである複数のタイトルコンテンツをタイトルコンテンツごとに暗号化する１つ以上のタイトルキーが登録されたタイトルキーファイルと、前記タイトルキーによって暗号化されたタイトルコンテンツとが記録された記録媒体の記録を行うコンテンツ記録装置であって、前記タイトルキーファイルを一つ以上生成し、一つ以上の前記タイトルキーを、生成された前記タイトルキーファイルに格納する初期化手段と、複数のタイトルキーファイルのそれぞれに対応した第１の乱数を生成する第１の乱数生成手段と、複数のタイトルキーファイルのそれぞれに対応した第２の乱数を生成する第２の乱数生成手段と、前記初期化手段によって生成された前記タイトルキーファイルと前記第１の乱数と組にしてそれぞれ前記記録媒体に記録する記録手段と、を備え、前記初期化手段は、前記複数のタイトルキーファイルのそれぞれを、前記第１の乱数生成手段によって生成され、前記タイトルキーファイルに対応した前記第１の乱数と関連づけられた他のタイトルキーファイルに登録された前記第２の乱数とによって前記タイトルキーを暗号化した暗号化タイトルキーと、前記タイトルキーファイルに対応した前記第１の乱数と前記他のタイトルキーファイルに登録された前記第２の乱数とを登録することによって生成することを特徴とする。また、本発明は、上記装置に対応したコンテンツ記録方法およびプログラムである。
また、本発明は、コンテンツを暗号化するためのタイトルキーを１つ以上有するタイトルキーファイルと、前記タイトルキーによって暗号化されたコンテンツとを記録媒体へ記録するコンテンツ記録装置であって、第１タイトルキーファイルと、第２タイトルキーファイルと、第３タイトルキーファイルとを生成する生成手段と、前記第１タイトルキーファイルに対応する第１乱数と、前記第２タイトルキーファイルに対応する第１乱数と、前記第３タイトルキーファイルに対応する第１乱数とを生成する第１乱数生成手段と、前記第１タイトルキーファイルに対応する第２乱数と、前記第２タイトルキーファイルに対応する第２乱数と、前記第３タイトルキーファイルに対応する第２乱数とを生成する第２乱数生成手段と、前記第１タイトルキーファイル、前記第２タイトルキーファイルおよび前記第３タイトルキーファイルを前記記録媒体に記録する記録手段と、を備え、前記第１タイトルキーファイルは、前記第１タイトルキーファイルに対応する第１乱数と、前記第１タイトルキーファイルに対応する第２乱数と、前記第１タイトルキーファイルに対応する第１乱数と、前記第３タイトルキーファイルに対応する第２乱数とを用いて暗号化された前記タイトルキーと、を有し、前記第２タイトルキーファイルは、前記第２タイトルキーファイルに対応する第１乱数と、前記第２タイトルキーファイルに対応する第２乱数と、前記第２タイトルキーファイルに対応する第１乱数と前記第１タイトルキーファイルに対応する第２乱数とを用いて暗号化された前記タイトルキーと、を有し、前記第３タイトルキーファイルは、前記第３タイトルキーファイルに対応する第１乱数と、前記第３タイトルキーファイルに対応する第２乱数と、前記第３タイトルキーファイルに対応する第１乱数と前記第２タイトルキーファイルに対応する第２乱数とを用いて暗号化された前記タイトルキーと、を有することを特徴とする。
また、本発明は、コンテンツを暗号化するためのタイトルキーを１つ以上有するタイトルキーファイルと、前記タイトルキーによって暗号化されたコンテンツとが記録された記録媒体へアクセスし、前記コンテンツを再生するコンテンツ再生装置であって、前記記憶媒体には、第１タイトルキーファイルと第２タイトルキーファイルと第３タイトルキーファイルとが記録されており、前記第１タイトルキーファイルは、前記第１タイトルキーファイルに対応する第１乱数と、前記第１タイトルキーファイルに対応する第２乱数と、前記第１タイトルキーファイルに対応する第１乱数と、前記第３タイトルキーファイルに対応する第２乱数とを用いて暗号化された前記タイトルキーと、を有し、前記第２タイトルキーファイルは、前記第２タイトルキーファイルに対応する第１乱数と、前記第２タイトルキーファイルに対応する第２乱数と、前記第２タイトルキーファイルに対応する第１乱数と前記第１タイトルキーファイルに対応する第２乱数とを用いて暗号化された前記タイトルキーと、を有し、前記第３タイトルキーファイルは、前記第３タイトルキーファイルに対応する第１乱数と、前記第３タイトルキーファイルに対応する第２乱数と、前記第３タイトルキーファイルに対応する第１乱数と前記第２タイトルキーファイルに対応する第２乱数とを用いて暗号化された前記タイトルキーと、を有し、前記第１タイトルキーファイルに含まれる乱数であって前記第１タイトルキーファイルに対応する第１乱数と、前記第３タイトルキーファイルに含まれる乱数であって前記第３タイトルキーファイルに対応する第２乱数と、を用いて、前記第１タイトルキーファイルに含まれる前記タイトルキーを復号化する第１復号化手段と、前記第１復号手段によって復号化された前記タイトルキーを用いて、前記コンテンツを復号する第２復号化手段と、前記第２復号化手段によって復号化されたコンテンツを再生する再生手段と、を備えたことを特徴とする。